(57)【要約】【課題】高い所に乗りたがる習性を活かした家庭用愛玩動物用玩具を提供する。【解決手段】猫用玩具１は、共に平面であって対向し合う上面１ＵＳ及び下面１ＬＳ、並びに、凹部１ＲＰを有する。上面１ＵＳは、その上に猫が乗ることが可能な面積を有する。非貫通の凹部１ＲＰは、下面１ＬＳより上面１ＵＳに向けて凹状に形成されており、ウォーターボトル１０の未開栓のキャップ１０Ｃを含むウォーターボトル上部１０ＵＰが凹部１ＲＰに嵌合可能となる様に、ウォーターボトル上部１０ＵＰの形状に対応した形状を有する。即ち、凹部１ＲＰは、それぞれ傾斜面１０ＩＳ１，１０ＩＳ２に対応した内壁を有する凹部１Ｒ１，１Ｒ２、及び、キャップ１０Ｃの形状に対応した形状を有する凹部１Ｒ３を有する。猫用玩具１は、凹部１ＲＰとウォーターボトル上部１０ＵＰとの嵌合を介して、未開栓のウォーターボトル１０に合体されて猫用タワーを完成させる。【選択図】図１
0003214712.tif 000002
【実用新案登録請求の範囲】
【請求項１】
ウォーターサーバー用の未開栓のウォーターボトルに合体させて家庭用愛玩動物用タワーを完成させるための家庭用愛玩動物用玩具であって、
家庭用愛玩動物がその上に乗ることが可能な面積を有する上面と、
前記上面に対向する下面と、
前記下面より前記上面に向けて凹状に形成されており、且つ、前記ウォーターボトルの未開栓のキャップを含む前記ウォーターボトルの上部が嵌合可能となる様に前記ウォーターボトル上部の形状に対応した形状を有する非貫通の凹部と
を備えることを特徴とする、家庭用愛玩動物用玩具。
【考案の詳細な説明】
【技術分野】
【０００１】
この考案は、家庭用愛玩動物用玩具の構成に関する。
【背景技術】
【０００２】
猫タワー等の様々な猫用玩具が提案されている（例えば、特許文献１乃至４を参照。）。
【先行技術文献】
【特許文献】
【０００３】
【特許文献１】実用新案登録第３２１２５２７号公報
【特許文献２】特開２０１４−００８００８号公報
【特許文献３】特開平１１−２６６７３２号公報
【特許文献４】特開平７−２１３１８８号公報
【考案の概要】
【考案が解決しようとする課題】
【０００４】
家庭用愛玩動物（家屋内で飼育するペット。）の一例である猫は、高い場所に乗りたがる習性を有している。斯かる習性のために、室内に設置されているウォーターサーバー用の未開栓ないしは未開封の状態のウォーターボトルが立て向きで室内に置かれている場合には、猫は、しばしば、当該ウォーターボトルのキャップ側の上部に乗って、そこで遊んだり又は休んだりする行動を起こす。この様な猫の無邪気な行動により、その飼主は、しばしば心理的に癒されることになる。
【０００５】
しかしながら、当該キャップより下方であってウォーターボトルの側面部との境界までのウォーターボトルの上部部分は、傾斜面を有している。このため、猫が、未開栓のウォーターボトルの上部に、比較的長時間に亘って安定して快適に乗り続けていることは、容易ではない。場合によっては、ウォーターボトルが猫の体重の重み等に起因して不安定な立設状態となって倒れることで、猫がウォーターボトルから落下してしまうことも生じ得る。そのため、この様な猫の行動を眺めていた飼主の心の癒し度も減退せざるを得なくなる。しかも、インスタ映えする猫の写真を撮影することもままならない。
【０００６】
この様な問題点は、猫の上記習性に伴う行動に留まるものではなく、カワウソ或いは子犬等の、その他の室内で飼育する家庭用愛玩動物の高い所に乗り上がろうとする行動に於いても、同様に生じ得るものである。
【０００７】
この考案は、以上の問題点を踏まえて成されたものであり、その主目的は、家庭用愛玩動物がウォーターサーバー用の未開栓ないしは未開封の状態のウォーターボトルの上部に安定して乗り上がって休憩等の行動を快適に行うことを可能にし、以って、飼主等の心の癒し度を従前よりも増大させることが可能な玩具を実現する点にある。
【課題を解決するための手段】
【０００８】
本考案の主題に係る家庭用愛玩動物用玩具は、ウォーターサーバー用の未開栓のウォーターボトルに合体させて家庭用愛玩動物用タワーを完成させるための家庭用愛玩動物用玩具であって、家庭用愛玩動物がその上に乗ることが可能な面積を有する上面と、  前記上面に対向する下面と、前記下面より前記上面に向けて凹状に形成されており、且つ、前記ウォーターボトルの未開栓のキャップを含む前記ウォーターボトルの上部が嵌合可能となる様に前記ウォーターボトル上部の形状に対応した形状を有する非貫通の凹部とを備えることを特徴とする。
【考案の効果】
【０００９】
本考案の主題に係る家庭用愛玩動物用玩具によれば、当該玩具をウォーターサーバー用の未開栓のウォーターボトルに合体させることにより、家庭用愛玩動物は、高い所に乗りたがる、その習性に応じて、合体後の当該玩具の上面上に安定的に且つ快適に乗り続けることが出来る。
【００１０】
以下、本考案の様々な具体化を、添付図面を基に、その効果・利点と共に、詳述する。
【図面の簡単な説明】
【００１１】
【図１】本考案の実施の形態１に係る猫用玩具と、ウォーターサーバー用の未開栓状態のウォーターボトルとの合体によりウォーターボトル猫タワーを構成する態様を模式的に示す正面図である。
【図２】図１に示される猫用玩具をその下面側の上方より眺めた際の猫用玩具の構成を模式的に示す平面図である。
【図３】本考案の実施の形態１に係る猫用玩具とウォーターボトルとの合体により形成されるウォーターボトル猫タワーの構成を示す正面図である。
【考案を実施するための形態】
【００１２】
（実施の形態１）
本実施の形態では、高い所に乗りたがるという習性を備えた「家庭用愛玩動物」の一例として、「猫」を採り上げることとし、ウォーターサーバー用の未開栓（未開封）のウォーターボトル上に於いて上記習性に伴う猫の行動を快適且つ安定して実現可能な猫用玩具を記載する。換言すれば、本実施の形態に係る猫用玩具は、高い所に乗りたがる猫の習性を活かした家庭用愛玩動物用玩具である。尚、本実施の形態に於いては、猫用玩具とウォーターサーバー用の未開栓のウォーターボトルとの合体後の合体物は、当該合体物が配置される床面より上下方向に延在したタワー状の立体物であり、それ故に、「ウォーターボトル猫タワー」或いは「家庭用愛玩動物用タワー」と、称される。
【００１３】
＜猫用玩具の構成＞
図１は、本実施の形態に係る猫用玩具１と、ウォーターサーバー（図示せず。）用の未開栓状態のウォーターボトル１０との合体により、「ウォーターボトル猫タワー」という合体物を構成する態様を模式的に示す正面図である。図１に於いては、図示の便宜上、猫用玩具１の内部構成乃至は凹部ＲＰは、破線によって表示されることで透視化されている。又、図２は、図１に示す矢印ＡＲ１の方向から猫用玩具１の下面１ＬＳ側の構成を眺めた際の、猫用玩具１の構成を示す平面図である。
【００１４】
先ず、図１に於いて、猫用玩具１の合体相手であるウォーターサーバー専用のウォーターボトル１０は、飲料水がその中に充満されている未開栓ないしは未開封の状態に於いて、床面（図示せず。）上に立設されている。尚、ウォーターサーバー用ウォーターボトルの形状は任意であり、図１に示されるウォーターボトル１０の形状は一例である。このウォーターボトル１０の略円柱状の底部１０ＢＰの直径Ｄは、例えば、３３０ｍｍである。そして、ウォーターボトル１０は、上下方向に延在した円柱状の側面部１０ＳＳを介して、底部１０ＢＰに対向する略円柱状の中間部１０ＭＰを有している。この中間部１０ＭＰもまた、側面部１０ＳＳの直径よりもやや大きい直径Ｄを有している。更に、ウォーターボトル１０は、中間部１０ＭＰの上端部１０ＭＰＥよりキャップ１０Ｃの先端部１０ＣＥに至るまで傾斜しつつ上下方向に延在した部分であるウォーターボトル上部１０ＵＰを有している。このウォーターボトル上部１０ＵＰは、図１に示される通り、中間部１０ＭＰの上端部１０ＭＰＥよりキャップ１０Ｃの根元部分に至るまでの間、２段階のステップ部分を有しており、２段階で傾斜した第１傾斜面１０ＩＳ１及び第２傾斜面１０ＩＳ２を成している。又、ウォーターボトル１０の上下方向の高さＨ、即ち、底部１０ＢＰの底面１０ＢＳからキャップ１０Ｃの先端部１０ＣＥまでの寸法Ｈは、例えば、４９０ｍｍである。
【００１５】
次に、図１及び図２に於いて、猫用玩具１は、その外形が例えば略円柱状の立体物であり、側面１ＳＳを介して対向し合う、共に平面である、上面１ＵＳ及び下面１ＬＳを有する。その内、上面１ＵＳは、猫（家庭用愛玩動物）が上面１ＵＳの上に乗ることが可能な面積を有する比較的広い平面であり、上面１ＵＳの直径１Ｄはウォーターボトル１０の底部１０ＢＰ及び中間部１０ＭＰの直径Ｄよりも大きな値に設定されている（１Ｄ＞Ｄ）。
【００１６】
この猫用玩具１の構成の内で特筆すべき中核部分は、下面１ＬＳより上面１ＵＳに向けて凹状に形成された非貫通の凹部１ＲＰである。即ち、凹部１ＲＰは、ウォーターボトル１０の未開栓のキャップ１０Ｃを含むウォーターボトル上部１０ＵＰが全体的に凹部１ＲＰ内に嵌合可能となる様に、ウォーターボトル上部１０ＵＰの形状に１：１で対応した形状を有する。特に、本実施の形態に於いては、凹部１ＲＰは、連続的に連なった凹状の第１凹部１Ｒ１、第２凹部１Ｒ２及び第３凹部１Ｒ３を有している。即ち、第１凹部１Ｒ１の壁面は、ウォーターボトル上部１０ＵＰに於ける第１傾斜面１０ＩＳ１に１：１で対応した形状の面（傾斜面＋垂直面）を成しており、第１傾斜面１０ＩＳ１の傾斜角度に等しい傾斜角度及び第１傾斜面１０ＩＳ１の高さ寸法に等しい深さ寸法を有する。同様に、第２凹部１Ｒ２の壁面は、ウォーターボトル上部１０ＵＰに於ける第２傾斜面１０ＩＳ２に１：１で対応した形状の傾斜面を成しており、第２傾斜面１０ＩＳ２の傾斜角度に等しい傾斜角度及び第２傾斜面１０ＩＳ２の高さ寸法に等しい深さ寸法を有する。更に、第３凹部１Ｒ３の壁面は、ウォーターボトル１０の未開栓のキャップ１０Ｃの側面に１：１で対応した形状の垂直面を成しており、第３凹部１Ｒ３の底面１ＲＰＢは、ウォーターボトル１０の未開栓のキャップ１０Ｃの先端部１０ＣＥに合体時に完全に接触可能となる様に、キャップ１０Ｃの先端部１０ＣＥに１：１で対応した形状の円形平面を成している。即ち、第３凹部１Ｒ３の深さ寸法と未開栓のキャップ１０Ｃの高さ寸法とは相等しく、底面１ＲＰＢの直径と先端部１０ＣＥの直径とは相等しい。従って、凹部１ＲＰの深さ寸法は、ウォーターボトル上部１０ＵＰの高さ寸法に合致しており（高さ寸法ｈ）、凹部１ＲＰの形状はウォーターボトル上部１０ＵＰの形状に合致している。
【００１７】
ここで、猫用玩具１の材質は任意であり、例えば、猫用玩具１はプラスチックより構成されていても良い。
【００１８】
＜猫用玩具１とウォーターボトル１０との合体＞
【００１９】
猫の飼主等の人は、室内に置かれている未開栓のウォーターサーバー用ウォーターボトル１０を猫用玩具１に合体させることで、猫がその上に安定的に且つ快適に乗り上がることが可能なウォーターボトル猫タワーを形成する。その様な合体後のウォーターボトル猫タワー１００を示す正面図が、図３である。
【００２０】
即ち、床に立設された未開栓の状態にあるウォーターボトル１０のウォーターボトル上部１０ＵＰの形状に合わせて、猫用玩具１を矢印ＡＲ２に示す方向へ移動させ、以って、猫用玩具１の凹部１ＲＰ内にウォーターボトル上部１０ＵＰを嵌合させる。これにより、猫用玩具１とウォーターボトル上部１０ＵＰとは互いに合体されて、猫用玩具１及びウォーターボトル１０は猫タワーとして一体化される。合体化の際の嵌合工程は上記工程とは逆の関係であっても良い。斯かる嵌合・合体工程により、ウォーターボトル上部１０ＵＰは、全体的に猫用玩具１の凹部１ＲＰ内に嵌め込まれて猫用玩具１内に埋没する結果、外部より視認され得ない状態となる。これにより、第１傾斜面１０ＩＳ１は全体的に第１凹部１Ｒ１の壁面に当接し、第２傾斜面１０ＩＳ２は全体的に第２凹部１Ｒ１の壁面に当接し、キャップ１０Ｃは全体的に第３凹部１Ｒ３の壁面・底面１ＲＰＢに当接する。その結果、図３に例示されるウォーターボトル猫タワー１００が完成される。このウォーターボトル猫タワー１００の完成により、以下の諸利点が得られる。
【００２１】
１）猫は、高い所に乗りたがるという習性に応じて、床面上に立設されて成るウォーターボトル猫タワー１００の最上面に該当する、猫用玩具１の平らで比較的に広い上面１ＵＳ上に乗り上がって、当該上面１ＵＳ上で安定して且つ快適に座って休む等の動作を行うことが出来る。
【００２２】
２）この様な上面１ＵＳ上に安定的に乗って且つ上面１ＵＳ上で快適に休んだりして時間を過ごしている猫の、ウォーターボトル猫タワー１００を利用する行動を眺めることで、猫の飼主等の人は、心理的に、従前よりも一層に癒されることとなる。
【００２３】
３）しかも、図３に示す様に、ウォーターボトル上部１０ＵＰは、猫用玩具１の凹部１ＲＰ内に全体的に嵌合されて外部より視認され得ない。このため、猫がウォーターボトル猫タワー１００の最上面１ＵＳ上に乗り上がっている写真を人が撮影する場合には、当該撮影者は、ＳＮＳの「Ｉｎｓｔｇｒａｍ」（インスタグラム）上に、見栄えが良い写真（「インスタ映え」する写真）をアップロードして公開することが出来る。
【００２４】
４）加えて、図３のウォーターボトル猫タワー１００の最上面である猫用玩具１の上面１ＵＳの形状及びその強度次第では、人は、未開栓状態にある又は開栓済みで空状態にある別のウォーターサーバー用ウォーターボトルを上面１ＵＳ上に立設・積載することとしても良い。これにより、未開栓状態又は開栓済みで空状態にある別のウォーターサーバー用ウォーターボトルの室内での配置場所を、ウォーターボトル猫タワー１００の立設場所に於いて上下方向に集約することが出来る。その結果、室内に於ける、ウォーターサーバー用ウォーターボトルが配設されている場所の占有面積をより減少させて、当該室内のスペースをより広く利用することが可能となる。更には、人は、床面から数えて２段目の上記別のウォーターボトルのウォーターボトル上部を既述の猫用玩具１と同一構造の別の猫用玩具の凹部に嵌合・合体させることで、２段階より成るウォーターボトル猫タワーを構築することしても良い。この場合には、当該２段階のウォーターボトル猫タワーの最上面、即ち、当該２段階のウォーターボトル猫タワーの２段目のウォーターボトルの上部がその凹部内に嵌合している上記別の猫用玩具の上面上に、猫は、乗り上がって、より高い場所で安定して且つ快適に休息等の行動を取ることが出来る。この場合にも、上記の２）及び３）で記載した諸利点が同様に得られる。上記の記載から、一般的には、図３に示される構造を有するウォーターボトル猫タワー１００の階層数は任意であると言える。
【００２５】
（変形例）
実施の形態１では、猫を対象とした猫用玩具１及びそれを用いたウォーターボトル猫タワー１００について記載したが、本考案はこれに限定されるものではなく、その他の家庭用愛玩動物用の玩具及びそれを用いた家庭用愛玩動物用タワーにも本考案の既述の着想点・特徴点を適用することが可能である。例えば、カワウソ用の同等な構成を備える玩具、或いは、子犬用の同等な構成を備える玩具にも本考案の着想点・特徴点を適用可能であり、既述した諸利点が同様に得られる。
【００２６】
本考案に於いては、既述の通り、猫用玩具がウォーターボトル上部の形状に対応した形状を有する非貫通の凹部を備えている点が、重要なポイントの一つである。加えて、猫用玩具の上面は、家庭用愛玩動物が当該上面上に乗ることが可能な面積を有していることも、重要なポイントの一つである。従って、猫用玩具の上面、下面及び側面の各々の形状自体は、任意であって、実施の形態１で一例として記載された猫用玩具１の上面１ＵＳ、下面１ＬＳ及び側面１ＳＳの形状には限定されない。例えば、猫用玩具の上面及び下面の各々は非平面であっても良く、少し傾斜した傾斜面又は凹凸の有る面であっても良い。或いは、猫用玩具の上面は凸状の外縁部を有していても良い。
【００２７】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【産業上の利用可能性】
【００２８】
本考案は、例えば猫・カワウソ又は子犬等の、家庭用愛玩動物の玩具に適用して好適である。
【符号の説明】
【００２９】
１  猫用玩具
１ＵＳ  上面
１ＬＳ  下面
１ＲＰ  凹部
１０  未開栓のウォーターボトル
１０Ｃ  ウォーターボトルのキャップ
１０ＵＰ  ウォーターボトル上部
１００  ウォーターボトル猫タワー（家庭用愛玩動物用タワー）
【図１】
0003214712.tif 000003
【図２】
0003214712.tif 000004
【図３】
0003214712.tif 000005